(57)【特許請求の範囲】
【請求項１】
第１の案内プーリ対と第１駆動プーリに張架された第１ワイヤと、前記第１駆動プーリを駆動するモータとを有し、前記第１ワイヤが照明装置またはミラーを有する走行体を支持して、前記第１の案内プーリ対の間を往復運動させるスキャナ装置を備えた画像形成装置において、
第２の案内プーリ対と前記第１駆動プーリよりも大きな径を有し且つ前記モータにより駆動される第２駆動プーリとに張架された第２ワイヤと、この第２ワイヤに支持され前記第２の案内プーリ対の間を前記走行体と逆行するように往復運動する重りとを備え、前記モータが両軸仕様であることを特徴とする画像形成装置。
【発明の詳細な説明】
【０００１】
【発明の属する技術分野】
本発明は、複写機、ファクシミリ、プリンタ等の画像形成装置に関し、特に、照明装置またはミラー、あるいはその双方を有する走行体が露光走査範囲を往復移動する型式のスキャナ装置の改良に関する。
【０００２】
【従来の技術】
画像形成装置のスキャナ装置としては、コンタクトガラスに載置された原稿の下面において、ランプと１つのミラーからなる第１走行体と複数のミラーからなる第２走行体を、２：１の速度比で走行させながら光学系の共役長を維持しつつ、原稿面をスキャンする型式のスキャナ装置が最も一般的なものとなっている。
【０００３】
ところで、このような走行体移動型のスキャナ装置を備えた画像形成装置においては、スキャナ装置の駆動時、即ち、走行体往復動時の振動が問題になる。振動が発生すると、騒音を引き起こし、また画像ぶれの原因ともなる。さらに装置の耐久性にも影響する。
【０００４】
そこで、従来より種々の振動防止対策が講じられている。例えば特開平２−２１０４６８号公報には、原稿照明光源と、これと同速で移動させるミラーと、これらの半分の速度で移動させるミラーとをそれぞれ独立に移動させる独立の駆動源を設け、原稿照明光源、これと同速で移動させるミラー、これらの半分の速度で移動させるミラーのそれぞれの走査移動開始及び復帰移動開始のタイミングに時差を持たせる技術が提案されている。
【０００５】
【発明が解決しようとする課題】
複数のミラーを同一方向に移動させ、それぞれ独立の駆動源を用い、走査移動開始及び復帰移動開始のタイミングに時差を持たせる上記技術により、原稿走査及びリターン開始時の振動は軽減されるようになった。
しかし、近年、画像形成装置はますます高速化しており、スキャナ装置が高速スキャンを行うために、振動はより大きなものとなっている。
従って、このような大きな振動を、より確実にしかも低コストで低減することが望まれている。
【０００６】
本発明は、このような背景に鑑みてなされたものであり、特に高速で往復動するスキャナ装置の走行体の方向反転時や停止時の画像形成装置本体の振動を、簡単な構造で軽減することを目的するものである。
【０００７】
【課題を解決するための手段】
第１の案内プーリ対と第１駆動プーリに張架された第１ワイヤと、前記第１駆動プーリを駆動するモータとを有し、前記第１ワイヤが照明装置またはミラーを有する走行体を支持して、前記第１の案内プーリ対の間を往復運動させるスキャナ装置を備えた画像形成装置において、第２の案内プーリ対と前記第１駆動プーリよりも大きな径を有し且つ前記モータにより駆動される第２駆動プーリとに張架された第２ワイヤと、この第２ワイヤに支持され前記第２の案内プーリ対の間を前記走行体と逆行するように往復運動する重りとを備え、前記モータが両軸仕様であることを特徴とするものである。
【００１３】
【発明の実施の形態】
以下、本発明の実施の形態を添付図面に沿って説明する。
図１は本発明の第１の実施の形態を示すスキャナ装置の構成図である。
コンタクトガラス１の下方には、ランプ２を有する照明装置３が担持体４に担持されて配置されている。担持体４はガイドロッド５に摺動案内されて照明装置３と共に往復移動することができるようになっており、照明装置３によりコンタクトガラス１上に、原稿面を下にして載置される原稿が走査（スキャン）されるようになっている。
【００１４】
従って、ランプ２を有する照明装置３は、スキャン用の走行体（走査手段）を構成するが、照明装置３を担持する担持体４を含めて全体として一体構成の走行体と見做すことも勿論できる。
【００１５】
照明装置３を担持しガイドロッド５に摺動案内される担持体４にはワイヤ６が固定され、該ワイヤ６は、２個の案内プーリ７，８に巻き掛けられ、さらに駆動モータ９の出力軸に固定された駆動プーリ１０に巻き掛けられている。
また、ワイヤ６の、照明装置３の進行方向と逆行する部分に、照明装置３と同じ質量の重り１１が固定されている。
【００１６】
次にその動作を説明する。
原稿走査時は、駆動モータ９は正転駆動する。すると、駆動プーリ１０を介してワイヤ６が動かされ、それに従って担持体４と共に照明装置３が矢印Ａ方向、即ち往動方向（スキャン方向）に移動され、一方、照明装置３の移動方向と逆方向（矢印Ｂ方向）に重り１１が移動される。
【００１７】
リターン時は、駆動モータ９は逆転駆動する。すると、担持体４と共に照明装置３は矢印Ｂ方向、即ち復動方向（リターン方向）に移動され、一方、重り１１はその逆のＡ方向に移動される。
【００１８】
このように、駆動モータ９の正逆転駆動により、原稿走査手段である照明装置３が往復動される際に、重り１１はその逆に移動する。従って、照明装置３の方向転換時または停止時には、照明装置３の慣性力が働くが、いずれの場合も、照明装置３と同じ質量の重り１１による逆方向の慣性力で打ち消すため、装置全体の揺れまたは移動が防止される。
【００１９】
図２は本発明の第２の実施の形態を示すスキャナ装置の構成図である。
この実施の形態は、２本のワイヤ６ａ，６ｂを備え、第１のワイヤ６ａを２個の案内プーリ７ａ，８ａ間に掛け渡し、さらに第１の駆動プーリ１０ａに巻き掛けるようにすると共に、第２のワイヤ６ｂを同様に、２個の案内プーリ７ｂ，８ｂと、第２の駆動プーリ１０ｂに張架したものである。
【００２０】
第１の駆動プーリ１０ａと第２の駆動プーリ１０ｂは、両軸仕様の１個の駆動モータ９に取り付けられている。また、担持体４は第１のワイヤ６ａに取り付けられており、担持体４及び照明装置３の移動方向と逆方向に移動する重り１１は、第２のワイヤ６ｂに取り付けられている。
【００２１】
図１に示す第１の実施の形態においては、駆動モータ９の回転方向転換時及び停止時にワイヤ６に掛かる張力は、照明装置３と重り１１の両方の慣性力で決まるが、図２に示す第２の実施の形態においては、照明装置３と重り１１の慣性力を２本のワイヤ６ａ，６ｂで分担するため、ワイヤに掛かる張力は１本当たりにすれば半分となり、ワイヤを細くすることができる。
【００２２】
図３は本発明の第３の実施の形態を示すスキャナ装置の構成図である。
第３の実施の形態は、第２の実施の形態の変形例であり、図２に示す第２の実施の形態では、第１の駆動プーリ１０ａと第２の駆動プーリ１０ｂの径が同じであったのに対し、図３に示す第３の実施の形態では、第１の駆動プーリ１０ａの径よりも第２の駆動プーリ１０ｂの径を大きくしたものである。
【００２３】
そして、第１の駆動プーリ１０ａで照明装置３を駆動し、第２の駆動プーリ１０ｂで重り１１を駆動している。従って、重り１１を付設した第２のワイヤ６ｂの速度は、第１のワイヤ６ａの速度より速くなるので、重り１１の質量を小さくでき、機械本体の重量も小さくできる。
【００２４】
図４は本発明の第４の実施の形態を示すスキャナ装置の構成図である。
図４に示す第４の実施の形態は、２本のワイヤ６ａ，６ｂを各々独立した駆動モータ９ａ，９ｂで駆動させるようにしたものである。第１のワイヤ６ａは、第１の駆動モータ９ａの第１の駆動プーリ１０ａに張架され、一方、第２のワイヤ６ｂは、第２の駆動モータ９ｂの第２の駆動プーリ１０ｂに張架される。照明装置３の担持体４は、第１のワイヤ６ａに係止され、一方、重り１１は第２のワイヤ６ｂに係止される。
【００２５】
図２に示す第２の実施の形態及び図３に示す第３の実施の形態では、駆動モータ９の回転方向転換時及び停止時に、駆動モータ９に掛かる慣性力は、照明装置３と重り１１の両方の慣性力の和であるが、図４に示す第４の実施の形態においては、照明装置３と重り１１の慣性力を２個の駆動モータ９ａ，９ｂで分担するため、各々の駆動モータ９ａ，９ｂに掛かる慣性力は、駆動モータ１個当たりにすれば半分となり、駆動モータの耐衝撃性を小さくすることができる。
【００２６】
また、各々の駆動モータ９ａ，９ｂを独立駆動できるため、各々任意の回転数に設定でき、重り１１が固定されている第２の駆動モータ９ｂの回転数を上げ、重り１１の質量を小さくすることができる。
【００２７】
【発明の効果】
本発明によれば、走行体と逆行する重りにより、高速スキャンの走査開始時及び停止時の走行体の質量の慣性モーメントを打ち消す逆の慣性モーメントが得られるため、画像形成装置本体の振動、移動を無くすことができ、騒音が無く、耐久性に優れ、高画質の画像が得られる画像形成装置を提供することができる。また、走行体と重りの慣性力を２つのワイヤで受けるため、個々のワイヤに掛かる張力が小さくでき、ワイヤ径も小さくできる効果がある。さらに、第１の駆動プーリで走行体を駆動し、第２の駆動プーリの径を第１の駆動プーリの径より大きくし重りを駆動しているので、重りを付設した第２のワイヤの速度は第１のワイヤの速度より速くなるので重りの質量を小さくでき、機械本体の重量も小さくすることができる。
【図面の簡単な説明】
【図１】本発明の第１の実施の形態を示すスキャナ装置の構成図である。
【図２】本発明の第２の実施の形態を示すスキャナ装置の構成図である。
【図３】本発明の第３の実施の形態を示すスキャナ装置の構成図である。
【図４】本発明の第４の実施の形態を示すスキャナ装置の構成図である。
【符号の説明】
１  コンタクトガラス
２  ランプ
３  照明装置
４  担持体
５  ガイドロッド
６  ワイヤ
７，８  案内プーリ
９  駆動モータ
１０  駆動プーリ
１１  重り
【図１】
0003583573.tif 000002
【図２】
0003583573.tif 000003
【図３】
0003583573.tif 000004
【図４】
0003583573.tif 000005